(57)【要約】【課題】  安価な裏白チップボール紙を使用して装飾性が高くて額縁が付いた高級感のある貼箱を提供する。【解決手段】  身と蓋とからなる紙製の貼箱において、身の紙材として、内側が装飾色をした裏白チップボール紙を用い、身の各側壁の上部に、各側壁の上端を内側に途中まで折り返した額縁を形成するとともに、身の外面から各額縁の内面にかけて化粧紙を貼ったことを特徴とする貼箱。【選択図】  図２
2005212800.tif 000002
【特許請求の範囲】
【請求項１】
身と蓋とからなる紙製の貼箱において、身の紙材として、内側が装飾色をした裏白チップボール紙を用い、身の各側壁の上部に、各側壁の上端を内側に途中まで折り返した額縁を形成するとともに、身の外面から各額縁の内面にかけて化粧紙を貼ったことを特徴とする貼箱。
【発明の詳細な説明】
【技術分野】
【０００１】
本発明は、化粧紙を貼った紙製の箱、すなわち、貼箱に関するものである。
【背景技術】
【０００２】
貴重品や装飾品あるいは食品等を包装する身と蓋とから構成される紙製の箱、すなわち、貼箱（化粧箱）では、蓋を取ったときに身の内面がある程度見栄えがよいことが要求される。このため、身の紙材として、少なくとも、内面になる側が白色等の装飾色をした裏装飾紙を使用している。一方で、貼箱においては、身の側壁が厚い方が見栄えがよくて豪華に見えることから、下記特許文献１及び２に見られるように、側壁を二重（これを額縁という）にしたりしている。
【０００３】
ところが、貼箱では、紙そのものは、内容物に応じて強度的に足りる厚みのものを使用しており、殊更、側壁を二重にして強度を高める必要はない。ただ、見栄えをよくしたり、高級感を出すために側壁に額縁を形成しているにすぎない。額縁は、各側壁の外端を内側に折り返して形成するが、このようにすると、紙の両面ともが装飾色をした紙を用いなければならず、この紙は片側装飾色のものに比べて価格が高い。
【特許文献１】特開昭５８−２０６４０号公報
【特許文献２】実開昭６０−２７０１５号公報
【発明の開示】
【発明が解決しようとする課題】
【０００４】
本発明が解決しようとする課題は、一面だけが装飾色をした価格の安い裏白チップボール紙を使用しながらも、側壁上部に額縁が形成され、しかも、内面が装飾色と化粧紙色（または模様）をした装飾性の高い貼箱の具現にある。
【課題を解決するための手段】
【０００５】
以上の課題の下、本発明は、請求項１に記載した、身と蓋とからなる紙製の貼箱において、身の紙材として、内側が装飾色をした裏白チップボール紙を用い、身の各側壁の上部に、各側壁の上端を内側に途中まで折り返した額縁を形成するとともに、身の外面から各額縁の内面にかけて化粧紙を貼ったことを特徴とする貼箱を提供したものである。
【発明の効果】
【０００６】
身の各側壁の上端を内側に途中まで折り返すことで額縁が形成されるが、このとき、身の内面は装飾色をしているものの、各側壁を折り返した額縁の内面は装飾をしていない灰色に出る。しかし、身の外面から額縁の内面にかけては、化粧紙が貼られることで、灰色の部分は隠され、装飾性において遜色のないものになる。この点で価格の安い裏白チップボール紙を使用しても、内外面ともに装飾された額縁付きの貼箱にできるし、このとき、額縁の部分は側壁の途中までであるから、紙の量は少なくて済む。
【発明を実施するための最良の形態】
【０００７】
以下、本発明を実施するための最良の形態について説明する。図１は本発明の一例を示す貼箱Ａの斜視図、図２は同じく断面図、図３、図４はその製函過程を示す説明図であるが、貼箱Ａは、包装物を収納する本体部となる身１と、これに被せる蓋２とから構成される。なお、本例の蓋２は、身１から完全に分離されたものであるが、一端を身に連結されて開閉可能であり、他端に形成された舌片部を身の側壁の内側に差し込む連結式の蓋であってもよい。
【０００８】
以上の身１及び蓋２とも、展開した状態のものをトムソンで打ち抜き、これを折ったり貼ったりあるいは金具で止めたりして箱状のものに仕上げる。この場合に使用する紙は、内面側が白色等の装飾色で、外面側が灰色をした裏白チップボール紙を使用する。ただし、その厚みは、貼箱Ａの大きさや内容物に応じて十分な強度のものが採択される。
【０００９】
身１が四角形をしている場合、展開したものは、中央に底面３、長辺側に長側壁４、４、短辺側に短側壁５、５が形成されたものになる。そして、長側壁４、４と短側壁５、５の底面３側には、それぞれ立ち上げ用の折り返し線４ａ、４ａ、５ａ、５ａが形成され、その途中に上縁と平行に後記する額縁を形成するための折り返し線４ｂ、４ｂ、５ｂ、５ｂが形成される。
【００１０】
このように、展開された状態で打ち抜かれた身１は、次のようにして製函される。まず、折り返し線４ｂ、４ｂ、５ｂ、５ｂを内側に折り返して各々の側壁４、４、５、５に貼り付ける。これにより、側壁４、４、５、５が折り返された部分は、紙の厚みが倍になった額縁６、６、７、７を形成することになる。なお、この場合の額縁６、６、７、７の高さは、側壁部４、４、５、５の高さよりも短く設定される。
【００１１】
次いで、立ち上げ用の折り返し線４ａ、４ａ、５ａ、５ａを内側に折り返して各側壁４、４、５、５を形成し、この状態で四隅をテープ等で止めて箱形状に維持する。さらに、この身１を化粧紙８の上に載せて化粧紙８を身１の外面から額縁６、６、７、７の内面にかけて貼れば身１は完成する。この場合、化粧紙８は、少なくとも額縁６、６、７、７を隠す必要がある。
【００１２】
この点で、額縁６、６、７、７の高さは、製函時に化粧紙８の折り返しができる程度、具体的には、各側壁４、４、５、５の上端から１５ｍｍ程度、最大でも３０ｍｍ程度下がった位置までである。この関係は、各側壁４、４、５、５の高さに関係なく設定される。なお、化粧紙８は、一色をしたものから各種の模様が施された装飾用の紙であり、これも、所定の展開形状にトムソンで打ち抜いておく。
【００１３】
ところで、身１における以上の製函作業は、手作業でしてもよいが、製函機で自動的にできる。すなわち、各工程における身１をコンベア等で連続的にまたは間欠的に流しながら、各ステーションで所定の作業を行なえばよい。化粧紙８の貼り付けも同様であり、化粧紙８をコンベア上で移動させながら（あるいは一時的に止めて）その上に身１を載置して自動的な折り返しや糊付けを行なえばよい。
【００１４】
これにより、身１の紙材として、裏白チップボール紙を使用したとしても、額縁６、６、７、７の表面では化粧紙８に隠れて灰色部分が出てこない。したがって、安価な紙を使用しても、額縁６、６、７、７が付いた装飾性の高い貼箱Ａを具現できる。加えて、額縁６、６、７、７は、各側壁４、４、５、５の途中までであるから、紙の量が少なくて済み、この面からもコストを安くできる。
【図面の簡単な説明】
【００１５】
【図１】本発明の一例を示す貼箱の斜視図である。
【図２】本発明の一例を示す貼箱の断面図である。
【図３】本発明の一例を示す貼箱の製函工程の説明図である。
【図４】本発明の一例を示す貼箱の製函工程の説明図である。
【符号の説明】
【００１６】
Ａ  貼箱
１  身
２  蓋
３  底面
４  長側壁
４ａ折り返し線
４ｂ折り返し線
５  短側壁
５ａ折り返し線
５ｂ折り返し線
６  額縁
７  額縁
８  化粧紙
【図１】
2005212800.tif 000003
【図２】
2005212800.tif 000004
【図３】
2005212800.tif 000005
【図４】
2005212800.tif 000006